【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
（ａ）熱可塑性ポリウレタンポリマー、および
（ｂ）架橋剤
を含む不織布。
【請求項２】
前記熱可塑性ポリウレタンポリマーは、ポリエステルポリウレタン、ポリエーテルポリウレタン、およびポリカーボネートポリウレタンからなる群から選ばれる、請求項１に記載の不織布。
【請求項３】
前記架橋剤は、前記熱可塑性ウレタンポリマーおよび前記架橋剤の合計重量を基準として５から２０重量パーセントのレベルで存在する、請求項１に記載の不織布。
【請求項４】
前記架橋剤は、ポリエーテルプレポリマーおよびポリエステルプレポリマーからなる群から選ばれるイソシアネート末端プレポリマーである、請求項３に記載の不織布。
【請求項５】
前記架橋剤は、１，０００から１０，０００ダルトンの数平均分子量を有する、請求項３に記載の不織布。
【請求項６】
前記熱可塑性ポリウレタンポリマーは、
（ａ）少なくとも１つのヒドロキシル末端中間体、
（ｂ）少なくとも１つのグリコール鎖延長剤、および
（ｃ）少なくとも１つのポリイソシアネート
を反応させることによって作られる、請求項２に記載の不織布。
【請求項７】
前記熱可塑性ポリウレタンは、１００，０００から８００，０００ダルトンの重量平均分子量を有する、請求項６に記載の不織布。
【請求項８】
（ａ）予め形成された熱可塑性ポリウレタンポリマーを押し出し機に加えるステップ、
（ｂ）前記押し出し機の中で前記熱可塑性ポリマーを溶融させてポリマー溶融物を作り出すステップ、
（ｃ）前記ポリマー溶融物に架橋剤を加えるステップ、
（ｄ）メルトブロープロセス、およびスパンボンドプロセスからなる群から選ばれるプロセスにおいて、前記架橋剤と混合された前記ポリマー溶融物を、複数の孔を有するダイの中を通過させ、ここから繊維が形成される、ステップ、および
（ｅ）前記繊維をランダムな配置で集めて前記不織布を形成させるステップ
を含む、不織布を製造する方法。
【請求項９】
前記プロセスは、スパンボンドプロセスである、請求項８に記載の方法。
【請求項１０】
前記プロセスは、メルトブロープロセスである、請求項８に記載の方法。
【請求項１１】
請求項１に記載の不織布を含む物品であって、前記物品は、消費者向けアパレル、産業用アパレル、医療用品、スポーツ用品、保護用品、およびろ過膜からなる群から選ばれる物品。
【請求項１２】
熱可塑性ポリウレタン不織布から作られ、かつ複数の細孔を有する多孔性膜。
【請求項１３】
前記膜は、１００ナノメートルから１００マイクロメートル未満の細孔サイズを有する、請求項１２に記載の膜。
【請求項１４】
前記膜は、ＡＳＴＭ  Ｄ７３７−９６に従って測定されたとき、前記膜を通る２から５００フィート３／分／フィート２（０．６０１から１５２．４ｍ３／分／ｍ２）の空気流速を有する、請求項１２に記載の膜。
【請求項１５】
前記熱可塑性ポリウレタン布は、架橋剤を用いて作られる、請求項１２に記載の膜。
【手続補正２】
【補正対象書類名】明細書
【補正対象項目名】００１３
【補正方法】変更
【補正の内容】
【００１３】
例となる別の実施態様において、架橋されていないＴＰＵ不織布は、さらに溶融加工されて膜を作り出す。
一実施形態において、例えば、以下の項目が提供される。
（項目１）
（ａ）熱可塑性ポリウレタンポリマー、および
（ｂ）架橋剤
を含む不織布。
（項目２）
前記熱可塑性ポリウレタンポリマーは、ポリエステルポリウレタン、ポリエーテルポリウレタン、およびポリカーボネートポリウレタンからなる群から選ばれる、項目１に記載の不織布。
（項目３）
前記熱可塑性ポリウレタンポリマーは、ポリエステルポリウレタンである、項目２に記載の不織布。
（項目４）
前記架橋剤は、前記熱可塑性ウレタンポリマーおよび前記架橋剤の合計重量を基準として５から２０重量パーセントのレベルで存在する、項目１に記載の不織布。
（項目５）
前記架橋剤は、８から１５重量パーセントのレベルで存在する、項目４に記載の不織布。
（項目６）
前記架橋剤は、ポリエーテルプレポリマーおよびポリエステルプレポリマーからなる群から選ばれるイソシアネート末端プレポリマーである、項目４に記載の不織布。
（項目７）
前記架橋剤は、１，０００から１０，０００ダルトンの数平均分子量を有する、項目４に記載の不織布。
（項目８）
前記熱可塑性ポリウレタンポリマーは、
（ａ）少なくとも１つのヒドロキシル末端中間体、
（ｂ）少なくとも１つのグリコール鎖延長剤、および
（ｃ）少なくとも１つのポリイソシアネート
を反応させることによって作られる、項目２に記載の不織布。
（項目９）
前記ポリイソシアネートは、ジイソシアネートである、項目８に記載の不織布。
（項目１０）
前記熱可塑性ポリウレタンは、１００，０００から８００，０００ダルトンの重量平均分子量を有する、項目９に記載の不織布。
（項目１１）
（ａ）予め形成された熱可塑性ポリウレタンポリマーを押し出し機に加えるステップ、
（ｂ）前記押し出し機の中で前記熱可塑性ポリマーを溶融させてポリマー溶融物を作り出すステップ、
（ｃ）前記ポリマー溶融物に架橋剤を加えるステップ、
（ｄ）メルトブロープロセス、およびスパンボンドプロセスからなる群から選ばれるプロセスにおいて、前記架橋剤と混合された前記ポリマー溶融物を、複数の孔を有するダイの中を通過させ、ここから繊維が形成される、ステップ、および
（ｅ）前記繊維をランダムな配置で集めて前記不織布を形成させるステップ
を含む、不織布を製造する方法。
（項目１２）
前記プロセスは、スパンボンドプロセスである、項目１１に記載のプロセス。
（項目１３）
前記プロセスは、メルトブロープロセスである、項目１２に記載のプロセス。
（項目１４）
前記架橋剤は、前記予め形成された熱可塑性ポリウレタンポリマーおよび前記架橋剤の合計重量を基準として５から２０重量パーセントのレベルで存在する、項目１１に記載のプロセス。
（項目１５）
前記架橋剤は、８から１５重量パーセントのレベルで存在する、項目１４に記載のプロセス。
（項目１６）
前記予め形成された熱可塑性ポリウレタンポリマーは、
（ａ）少なくとも１つのヒドロキシル末端中間体、
（ｂ）少なくとも１つのグリコール鎖延長剤、および
（ｃ）少なくとも１つのポリイソシアネート
を反応させることによって作られる、項目１１に記載のプロセス。
（項目１７）
前記予め形成された熱可塑性ポリウレタンは、１００，０００から８００，０００ダルトンの重量平均分子量を有し、前記ポリイソシアネートは、ジイソシアネートであり、前記架橋剤は、１，０００から１０，０００の数平均分子量を有する、項目１６に記載のプロセス。
（項目１８）
前記不織布は、前記不織布を圧縮するカレンダー操作に付される、項目１１に記載のプロセス。
（項目１９）
項目１に記載の不織布を含む物品であって、前記物品は、消費者向けアパレル、産業用アパレル、医療用品、スポーツ用品、保護用品、およびろ過膜からなる群から選ばれる物品。
（項目２０）
熱可塑性ポリウレタン不織布から作られ、かつ複数の細孔を有する多孔性膜。
（項目２１）
前記膜は、１００ナノメートルから１００マイクロメートル未満の細孔サイズを有する、項目２０に記載の膜。
（項目２２）
前記膜は、ＡＳＴＭ  Ｄ７３７−９６に従って測定されたとき、前記膜を通る２から５００フィート３／分／フィート２（０．６０１から１５２．４ｍ３／分／ｍ２）の空気流速を有する、項目２０に記載の膜。
（項目２３）
前記熱可塑性ポリウレタン布は、架橋剤を用いて作られる、項目２０に記載の膜。
（項目２４）
前記膜は、前記膜を通る５から１０フィート３／分／フィート２（１．５２４から３．０４８ｍ３／分／ｍ２）の空気流速を有する、項目２２に記載の膜。